(57)【特許請求の範囲】
【請求項１】
複数の家具本体の側面を連結具で連結することが可能な家具において、
床面上に当接する複数のキャスタを有する移動可能なベースと、
前記ベースを床面上に固定するための位置固定手段と、
前記ベース上に載せ置かれ隙間を介して前記ベースの側周壁を包囲するように配置された家具本体と、
前記ベースと前記家具本体との間に設けられ、前記ベースに対する前記家具本体の高さ位置を個別に調整することができる複数の高さ位置調整手段とを備え、
前記高さ位置調整手段は、前記家具本体に取り付けた複数のナット部材と、前記各ナット部材にそれぞれねじ結合されて上下方向に変位可能なアジャスタボルトと、前記各アジャスタボルトの下部にそれぞれ設けられ、前記ベースの上面に当接する当接座とを備えた
ことを特徴とする家具。
【請求項２】
請求項１に記載の家具において、
前記各アジャスタボルトの上端部に、該上端部を直径方向に貫通して延びる操作レバーをそれぞれ設けたことを特徴とする家具。
【請求項３】
請求項１又は２に記載の家具において、
前記家具本体は内部に展示空間を、また側面には該展示空間と連通する開口部をそれぞれ有し、前記家具本体の側面には該開口部を塞ぐ側面パネルが着脱自在に取り付けられており、
前記連結具は、側面パネルを取り外し側面の開口部を開放した状態で家具本体同士を連結できるように形成されていることを特徴とする家具。
【請求項４】
請求項１乃至３のいずれか１項に記載の家具において、
前記連結具が前記家具本体の側面上部の開口部近傍に設けられていることを特徴とする家具。
【発明の詳細な説明】
【０００１】
【発明の属する技術分野】
本発明は家具に関し、特に、展示ケースのような移動する機会の多い家具に関する。
【０００２】
【従来の技術】
美術館や博物館、或いは店舗等においては、展示ケースの設置場所を変更することや、大きな展示容積を確保するために、複数個の展示ケースを側方に連結しその内部を連通させて用いることが多い。
【０００３】
したがって、従来より、この種の家具においては、図１０に示すように、家具本体１を支持するベース部２に家具の移動を容易にするためのキャスター３が設けられており、また、家具の高さや水平度を調節するためのアジャスタ４が設けられている。
【０００４】
【発明が解決しようとする課題】
家具を設置しようとする床面は必ずしも平坦ではなく、起伏や傾斜が生じている場合も少なくない。
【０００５】
例えば、図１０（ａ）に示すように、略Ｖ字形に傾斜した床面５上で複数個の家具を連結する必要がある場合、家具同士を近づけると、家具本体１の側面上端が互いに当接しても、ベース２間には隙間が空く。このため、その位置でアジャスタ４を調節し、家具の高さや水平度を揃えても、図１０（ｂ）に示すように、家具間の隙間がそのまま残ってしまうため、家具同士を連結することができない。
【０００６】
また、家具間の隙間をなくするために家具を移動させようとしても、すでにアジャスタ４が床面に当接しているため、家具を容易に移動させることができない。
【０００７】
このため、従来の家具においては、家具を設置しようとする床面に起伏や傾斜等があると、家具同士の連結作業効率が著しく低下するという問題があった。
【０００８】
したがって、本発明の目的は、家具を設置しようとする床面に起伏や傾斜等があっても家具の連結作業を容易且つ迅速に行うことができる家具を提供することにある。
【０００９】
【課題を解決するための手段】
上記課題を解決するために、本発明は、複数の家具本体の側面を連結具で連結することが可能な家具において、床面上に当接する複数のキャスタを有する移動可能なベースと、前記ベースを床面上に固定するための位置固定手段と、前記ベース上に載せ置かれ隙間を介して前記ベースの側周壁を包囲するように配置された家具本体と、前記ベースと前記家具本体との間に設けられ、前記ベースに対する前記家具本体の高さ位置を個別に調整することができる複数の高さ位置調整手段とを備え、前記高さ位置調整手段は、前記家具本体に取り付けた複数のナット部材と、前記各ナット部材にそれぞれねじ結合されて上下方向に変位可能なアジャスタボルトと、前記各アジャスタボルトの下部にそれぞれ設けられ、前記ベースの上面に当接する当接座とを備えたことを特徴とする。
【００１０】
上記構成を有する家具においては、ベースと家具本体との間に、ベースに対する家具本体の高さ位置を個別に調節できる複数の高さ調節手段が設けられているので、ベースの上で家具本体の高さや水平度を自由に調節することができる。一方、ベースは位置固定手段により床面上に位置固定することができるが、この位置固定手段を作動させないかぎり、自由に床面上を移動させることができる。したがって、互いに連結しようとする家具のベースが傾斜した床面上にある場合であっても、家具本体の高さ及び水平度を調節した状態でベースを容易に移動させることができるので、家具本体の側面同士を容易に密着させることができる。したがって、傾斜した床面上であっても、家具の高さ及び水平度を揃えて複数の家具を連結する作業を容易且つ迅速に行うことができる。
【００１１】
上記構成の家具において、好ましくは、前記各アジャスタボルトの上端部に、該上端部を直径方向に貫通して延びる操作レバーをそれぞれ設けている。
【００１５】
さらに好ましくは、家具本体は内部に展示空間を、また側面には該展示空間と連通する開口部をそれぞれ有し、家具本体の側面には該開口部を塞ぐ側面パネルが着脱自在に取り付けられており、前記連結具は、側面パネルを取り外し側面の開口部を開放した状態で家具本体同士を連結できるように形成される。係る構成によれば、複数の家具の家具本体同士を連結して一体化することにより、必要時に収容容積の大きな大型家具として用いることができる。
【００１６】
さらに好ましくは、連結具が家具本体の側面上部の開口部近傍に設けられ、家具本体の側面下部に、家具本体同士を位置決めするためのナット部材とこの各ナット部材にねじ結合されたアジャスタボルトとからなる位置決め手段が設けられる。係る構成によれば、位置決め手段が家具本体の側面下部に設けられているので、位置決め手段の位置ずれの具合を参照しながら、ベースと家具本体との間に設けられている高さ調節手段を操作して家具本体の高さや水平度を調節することができるので、家具本体の高さや水平度を容易に調節することができる。また、家具本体同士を位置決めする際に家具本体同士を位置決め手段により位置決めしておくことができるので、家具本体同士の連結を容易に行うことができる。さらに、連結具が家具本体の側面上部の開口部近傍に設けられているので、家具本体の側面上部の開口部近傍を連結具により確実に締結することができる。したがって、家具本体の側面上部の開口部に気密性が求められる場合、該気密性を確実に達成できるものとなる。
【００１７】
さらに好ましくは、位置決め手段は、互いに突き合わされる家具本体側面のうちの一方に固定された固定係合部材と、他方の家具本体側面に出没変位可能に設けられた可動係合部材とを有する。係る構成によれば、家具本体の側面に側面パネルを取り付けるときは、可動係合部材を家具本体内に後退させておくことができるので、側面パネル取付の邪魔にならず、また、家具本体から取り外す必要がない。
【００１８】
【発明の実施の形態】
以下、図面を参照して本発明の好ましい実施形態を説明する。
【００１９】
図１から図５までは本発明を展示ケースに適用した場合の一実施形態を示したものである。図１は展示ケースの正面図、図２は図１に示す展示ケースの右側面図、図３は図１に示す展示ケースの概略縦断面右側面図、図４は図１に示す展示ケースの側面パネル取付構造を示す要部概略縦断面正面図、図５は図１に示す展示ケースの連結状態を示す要部概略縦断面正面図である。
【００２０】
はじめに図１から図４までを参照すると、展示ケースは、四方形の枠体からなるベース１１と、このベース１１の上に載せ置かれる箱形の家具本体１２とを備えている。
【００２１】
ベース１１の４つの隅部近傍において、ベース１１の底部には車輪１３ａを備えたキャスタ１３が取り付けられており、これにより、ベース１１上に家具本体１２を載せ置いた状態で床面５上を容易に移動することができる。
【００２２】
また、ベース１１には該ベース１１を床面５上に位置固定するための位置固定手段が設けられている。ここでは位置固定手段は各キャスタ１３の近傍においてベース１１に取り付けられたナット部材１４とねじ結合されて上下方向に変位可能なアジャスタ１５を有する。したがって、このアジャスタ１５を調節しキャスタ１３の車輪１３ａよりも下方で床面５に当接させることにより、ベース１１を床面５上に位置固定することができる。
【００２３】
なお、本発明においては、後述する理由により、ベース１１自体の高さや水平度を厳密に調節する必要がないため、位置固定手段はアジャスタである必要はなく、例えば、キャスタ１３の車輪１３ａの回転や首振りを規制するロック機構であってもよい。また、ベース１１の移動を容易にするための手段としては、キャスタ１３に限られず、例えば、ローラーや、床面５に対する滑り性が良好な接地手段であってもよい。
【００２４】
家具本体１２は、複数本の横フレーム１２ａ〜１２ｍ及び縦フレーム１２ｎ〜１２ｓ等を連結して箱形に形成した骨組み構造体を有しており、その上部側には、展示品を収容するための展示品収容部１７が、また下部側には、展示品収容部１７内の照明や湿温調整等を行うための各種調整装置を収容できる下部収容部１８がそれぞれ形成されている。
【００２５】
家具本体１２の高さのほぼ中間位置で四方枠を形成している横フレーム１２ｇ〜１２ｊの上には天板１６が取り付けられている。この天板１６は展示品収容部１７の底板を兼ねており、天板１６の上に展示品を載せることができるようになっている。
【００２６】
家具本体１２の前面、背面、上面及び両側面には、骨組み構造体の全面開放構造により、それぞれ展示品収容部１７及び下部収容部１８と連通する開口部が形成されており、家具本体１２の前面には前カバー１９，２０が、また、背面には後カバー２１，２２がそれぞれ着脱可能に取り付けられている。また、家具本体１２の上面には、開閉上蓋２３が取り付けられており、家具本体１２の両側面にはそれぞれ側面パネル２４，２５が着脱可能に取り付けられている。
【００２７】
開閉上蓋２３及び側面パネル２４，２５にはそれぞれガラス板や透明プラスチック板等の透明板２３ａ、２４ａ、２５ａをはめ込んだ窓部が形成され、外から展示品収容部１７内が良く見えるように構成されている。また、展示品収容部１７の後部には開閉上蓋２３の開閉操作を容易にするためのガスダンパー２６が設けられている。
【００２８】
この実施形態においては、側面パネル２４，２５は複数個のねじ２７により家具本体１２の側面に取り付けられており、各ねじ２７は手で回すことができるように頭部につまみを有している。また、ねじ２７は、家具本体１２の内部で操作できるように家具本体１２の内部に配設されているので、美観を損ねることがない。
【００２９】
さらに、家具本体１２には展示品収容部１７と連通する各開口部の周囲に弾性シール部材を備えている。例えば、図４に示すように、家具本体１２の右側面には、展示品収容部１７と連通する開口部２８が形成されており、該開口部２８の周囲を取り囲むようにして家具本体１２の右側面に弾性シール部材２９が装着されている。そして、図３及び図４からわかるように、ねじ２７は弾性シール部材２９の周囲を取り囲むように間隔をあけて配置されている。弾性シール部材２９は、家具本体１２の右側面に操作パネル２５を取り付けたとき、操作パネル２５の内面に密着して開口部２８の周囲を気密に保つことができる。他の開口部についても同様である。したがって、展示品収容部１７の内部を適切な湿度に保つことができる。
【００３０】
複数個の家具を側方に連結するときは、図５に示すように、家具同士の突き合わせ面となる側面から側面パネル２４、２５を取り外し、隣り合う２つの家具本体１２，１２の側面同士を突き合わせて上記ねじ２７により相互に連結する。これにより、隣り合う２つの家具の展示品収容部１７，１７は側面の開口部２８，２８を介して連通するので、長さが２倍の展示品収容空間を得ることができる。同様にして、必要数の家具を連結することにより必要長さの展示品収容空間を得ることができる。また、このとき隣り合う家具本体１２，１２の側面に設けられている弾性シール部材２９，２９が互いに密着するので、家具連結時においても展示品収容部１７，１７の内部を気密に保つことができる。
上述したように、この実施形態においては、上記ねじ２７は、操作パネル２４，２５を家具本体１２の側面に取り付けるための取付具としての機能と、家具本体１２，１２同士を連結するための連結具としての機能を果たすものとなっている。
【００３１】
なお、上記の実施形態では家具本体１２、１２の側面同士を直接突き合わせて連結しているが、家具本体１２，１２の側面開口部２８，２８に対応して展示品収容部１７，１７と連通する開口部を形成した連結用パネルないしスペーサー（図示略）を介して家具本体１２，１２の側面同士を連結してもよい。
【００３２】
次に、本発明の特徴をなす家具本体の高さ及び水平度調節機構について説明する。
【００３３】
図３及び図４に示すように、家具本体１２とベース１１との間には、ベース１１に対し家具本体１２の高さ位置を個別に調節することができる複数の高さ調節手段３１が設けられている。したがって、各高さ調節手段３１を操作することにより、家具本体１２の高さを調節できるとともに、その水平度を調節することができる。
【００３４】
より具体的に説明すると、この実施形態においては、家具本体１２の底部は、前後において左右方向に延びる横フレーム１２ａ、１２ｂと、左右において前後方向に延びる横フレーム１２ｃ、１２ｄとを連結して構成した四方枠からなっており、左右の横フレーム１２ｃ、１２ｄの上に重ねて設けられた左右補強フレーム１２ｅ、１２ｆにはそれぞれ前後に間隔をあけて内方に突出する２つの取付アーム３２が固着されており、各取付アーム３２に固着されたナット部材３３にアジャスタボルト３４が上下方向に変位可能にねじ結合されている。
【００３５】
各アジャスタボルト３４はその下端に設けられた当接座３４ａによりベース１１の上面に当接しており、アジャスタボルト３４の直下位置においてベース１１の下面には左右方向に延びる桟１１ａ，１１ｂが取り付けられてベース１１を補強している。
【００３６】
図３及び図４からわかるように、家具本体１２の底部の四方枠を構成する横フレーム１２ａ〜１２ｄは、適度の隙間を介してベース１１の側周壁を包囲するように配置されており、これにより、家具本体１２がベース１１に対し前後方向及び左右方向に位置規制されている。したがって、ベース１２が水平に対し傾斜している場合であっても、家具本体１２が滑ってベース１１上から脱落することを防止できる。また、家具本体１２の水平度調整に従って家具本体１２がベース１１に対し傾斜することがあっても、ベース１１の側周壁と横フレーム１２ａ〜１２ｄとの間の隙間により家具本体１２の傾斜を吸収することができる。
【００３７】
この実施形態においては、各アジャスタボルト１５、３４の上端に六角レンチ等の工具と係合可能な係合溝（図示略）が形成されている。そして、図３及び図４からわかるように、各アジャスタボルト１５、３４の上端部は家具本体１２の下部収容部１８内に露出しているので、これらアジャスタボルト１５，３４の回転操作による高さ調節作業を家具本体１２の下部収容部１８内で容易に行うことができる。
【００３８】
上記構成を有する展示ケースにおいては、ベース１１と家具本体１２との間に、該ベース１１に対する家具本体１２の高さ位置を個別に調節できる複数個の高さ調節手段３１が設けられているので、図６（ａ）に示すように、ベース１１の上で該ベース１１とは別個に家具本体１２の高さや水平度を調節することができる。
【００３９】
一方、図６（ｂ）に示すように、ベース１１は位置固定手段であるアジャスタボルト１５により床面５上に位置固定することができるが、このアジャスタボルト１５を作動（床面５に接地）させないかぎり、自由に床面５上を移動させることができる。したがって、互いに連結しようとする家具のベース１１が傾斜した床面５上にある場合であっても、家具本体１２の高さ及び水平度を調節した状態でベース１１を容易に移動させることができるので、家具本体１２の側面同士を容易に密着させることができる。
【００４０】
したがって、傾斜した床面５上であっても、家具の高さ及び水平度を揃えて複数の家具を連結する作業を容易且つ迅速に行うことができる。
【００４１】
図７から図９までは本発明の他の実施形態を示すものである。これらの図において上記実施形態と同様の構成要素には同一の参照符号が付されている。
【００４２】
この実施形態においては、家具の側面同士を連結するための連結具としてファスナー３５が用いられている。ファスナー３５は、好ましくは家具本体１２の側面上部の開口部２８近傍、例えば横フレーム１２ｉに取り付けられる取付板３５ａと、この取付板３５ａに回動可能に取り付けられたレバー３５ｂと、このレバー３５ｂに連結されたリング状の係合部３５ｃとを有している。一方、ファスナー３５の係合部３５ｃを引っ掛けることができるフック３６は、家具連結時に上記横フレーム１２ｉと隣り合う横フレーム１２ｊに取り付けられている。
【００４３】
したがって、家具本体１２、１２の側面同士を連結するとき、ファスナー３５の係合部３５ｃをフック３６に引っ掛けてレバー３５ｂを図７に示す位置まで回動することにより、家具本体１２，１２をワンタッチ操作で簡単に締結することができる。
【００４４】
この実施形態においては、図９に示すように、２つのファスナー３５が家具本体１２の側面上部の開口部２８近傍、例えば、上部横フレーム１２ｉの前後に設けられている。図示は省略するが、同様のファスナーを家具本体１２の下部横フレーム１２ｄの前後に設け、計４個のファスナーで家具本体１２の側面同士を連結してもよい。
【００４５】
さらに、この実施形態においては、家具本体１２の側面下部に、家具同士を連結する際に家具本体１２，１２同士を位置決めするための位置決め手段３７が設けられている。この位置決め手段３７は、一方の家具本体１２の側面（横フレーム１２ｆ）に取り付けられた固定係合部材３７ａと、他方の家具本体１２の側面（横フレーム１２ｅ）に出没変位可能に設けられた可動係合部材３７ｂとを有する。
【００４６】
固定係合部材３７ａには係合穴が形成されており、可動係合部材３７ｂをこの係合穴に挿入することにより、家具本体１２，１２の側面同士を連結位置に位置決めすることができる。また、固定係合部材３７ａと稼動係合部材３７ｂとからなる位置決め手段は、家具本体１２の側面下部に設けられているので、位置決め手段の位置ずれの具合を参照しながら、ベース１１と家具本体１２との間に設けられている高さ調節手段３１を操作して家具本体１２の高さや水平度を調節することができるので、家具本体１２の高さや水平度を容易に調節することができる。
【００４７】
可動係合部材３７ｂはその外周から突出したレバー３７ｃを手で操作することにより、ワンタッチ操作で固定係合部材３７ａに対し係合及び離脱させることができる。また、可動係合部材３７ｂの操作は家具本体１２の下部収容部１８内で容易に行うことができる。
【００４８】
さらに、家具本体１２の側面に側面パネルを取り付けるときは、可動係合部材３７ｂを家具本体１２内に後退させておくことができるので、側面パネル取付の邪魔にならず、また、家具本体１２から取り外す必要がない。
【００４９】
この実施形態では、２つの位置決め手段３７が家具本体１２の下部の横フレーム１２ｅ、１２ｆの前後に取り付けられているが、これに限られず、例えば同様の位置決め手段を上部の横フレーム１２ｉ、１２ｊ等に設けてもい。
【００５０】
さらに、この実施形態においては、アジャスタボルト１５，３４の上端部に、該上端部を直径方向に貫通して延びる操作用レバー１５ｂ、３４ｂが設けられている。したがって、この操作用レバー１５ｂ、３４ｂに手の指を掛けて回すことにより、工具を必要とせずにアジャスタボルト１５，３４を容易に回動操作することができる。
【００５１】
この実施形態における他の構成は図１から図５に示す上記実施形態と同様である。したがって、上記実施形態と同様の作用効果を得ることができる。
【００５２】
以上図示実施形態につき説明したが、本発明は上記実施形態の態様のみに限定されるものではなく、特許請求の範囲に記載した範囲内でその構成要素に種々の変更を加えることができる。例えば、家具本体１２に設けられる高さ調節手段はアジャスタボルト３４に限定されず、個別に高さ調節可能なものであればよいので、例えば手動操作により又は動力を用いて上下動されるジャッキ機構又はシリンダ装置等のアクチュエータを用いることができる。また、本発明が適用される展示ケースの収容形態は上記態様に限定されず、また、本発明の他の家具類にも同様に適用することができる。
【００５３】
【発明の効果】
以上の説明から明らかなように、本発明によれば、傾斜した床面上であっても、家具の高さ及び水平度を揃えて複数の家具を連結する作業を容易且つ迅速に行うことができる家具を提供することができる。
【図面の簡単な説明】
【図１】本発明の一実施形態を示す展示ケースの正面図である。
【図２】図１に示す展示ケースの右側面図である。
【図３】図１に示す展示ケースの概略縦断面右側面図である。
【図４】図１に示す展示ケースの操作パネル取付構造を示す要部概略縦断面正面図である。
【図５】図１に示す展示ケースの連結状態を示す要部概略縦断面正面図である。
【図６】（ａ）、（ｂ）はそれぞれ本発明の一実施形態における家具本体の高さ及び水平度調節、並びに、連結の様子を示す説明図である。
【図７】本発明の他の実施形態を示す展示ケースの連結状態における要部概略縦断面正面図である。
【図８】（ａ）は図７に示す展示ケースの上部展示空間内を示す要部概略横断面平面図、（ｂ）は同展示ケース内底部近傍の要部概略横断平面面図である。
【図９】図７に示す展示ケースにおける連結具及び位置決め具の配置を示す要部概略横斜視図である。
【図１０】（ａ）、（ｂ）はそれぞれ従来の展示ケースの構成及び作用を示す説明図である。
【符号の説明】
１１    ベース
１２    家具本体
１２ａ〜１２ｍ    横フレーム
１２ｎ〜１２ｓ    縦フレーム
１３    キャスタ
１５    アジャスタボルト
１６    天板
１７    展示品収容部
１８    下部収容部
２４，２５    側面パネル
２７    ねじ
２８    側面開口部
２９    弾性シール部材
３１    高さ調節手段
３２    取付アーム
３３    ナット部材
３４    アジャスタボルト
３５    ファスナー
３６    フック
３７    位置決め手段
【図１】
0004775833.tif 000002
【図２】
0004775833.tif 000003
【図３】
0004775833.tif 000004
【図４】
0004775833.tif 000005
【図５】
0004775833.tif 000006
【図６】
0004775833.tif 000007
【図７】
0004775833.tif 000008
【図８】
0004775833.tif 000009
【図９】
0004775833.tif 000010
【図１０】
0004775833.tif 000011